(57)【要約】  本発明は、ＰｏＣシステムにおけるメディア転送時間情報提供のための端末装置及び方法に関するものである。本発明は、メディア転送権要請に対するメディア転送権付与メッセージを受信すると、受信されたメディア転送権付与メッセージ内にメディア転送時間情報を確認し、確認したメディア転送時間情報をユーザに知らせる。本発明によると、ＰｏＣサーバから発言権付与メッセージに含まれたメディア転送時間情報を確認して、これをユーザに知らせるための端末装置及び方法を提供することができる。
2009523357.tif 000002
【特許請求の範囲】
【請求項１】
ＰｏＣ（Push to talk Over Cellular）システムにおけるメディア転送時間情報を提供するための方法であって、
メディア転送権要請に対するメディア転送権付与メッセージを受信すると、前記受信されたメディア転送権付与メッセージ内にメディア転送時間情報を確認するステップと、
前記確認したメディア転送時間情報をユーザに知らせるステップと、
を含んでなることを特徴とするＰｏＣシステムにおけるメディア転送時間情報提供のための方法。
【請求項２】
前記メディア転送可能な残余時間をユーザに知らせるためのメディア転送時間お知らせ値を設定するステップをさらに含むことを特徴とする請求項１に記載のＰｏＣシステムにおけるメディア転送時間情報提供のための方法。
【請求項３】
前記メディア転送時間情報を確認するステップを遂行した後、前記確認されたメディア転送時間値を初期値として、前記初期値をダウンカウティングするようにタイマーを駆動させるステップと、
前記タイマー駆動中、タイマー値と予め設定された前記メディア転送時間お知らせ値とが同一になるかを検査するステップと、
前記検査の結果、前記タイマー値と予め設定された前記メディア転送時間お知らせ値とが同一になると、前記メディア転送可能な残余時間を知らせるためのメディア転送時間お知らせ値を画面にディスプレイするステップと、
をさらに含んでなることを特徴とする請求項２に記載のＰｏＣシステムにおけるメディア転送時間情報提供のための方法。
【請求項４】
前記メディア転送時間情報を確認するステップを遂行した後、前記確認されたメディア転送時間値を初期値として、前記初期値をダウンカウンティングするようにタイマーを駆動させるステップと、
前記メディア転送可能な残余時間を知らせるために前記初期値からダウンカウンティングされる前記タイマー値を画面にディスプレイするステップと、
をさらに含んでなることを特徴とする請求項１に記載のＰｏＣシステムにおけるメディア転送時間情報提供のための方法。
【請求項５】
ＰｏＣ（Push to talk Over Cellular）システムにおけるメディア転送時間情報を提供するためのＰｏＣ端末装置であって、
各キーの入力に従いその固有のキー入力データを出力するキー入力部と、
受信されたメディアデータをディスプレイし、前記キー入力部を通じて出力されるデータをディスプレイする表示部と、
メディア転送権要請に対するメディア転送権付与メッセージを受信し、前記受信されたメディア転送権付与メッセージ内にメディア転送時間情報を確認した後、前記確認したメディア転送時間情報をユーザに知らせるように制御する制御部と、
を含んでなることを特徴とするＰｏＣシステムにおけるメディア転送時間情報提供のためのＰｏＣ端末装置。
【請求項６】
前記メディア転送可能な残余時間をユーザに知らせるためのメディア転送時間お知らせ値を格納するメモリと、
前記制御部の駆動制御信号に従い前記メディア転送可能な残余時間値をカウンティングするためのタイマーと、
を含んでなることを特徴とする請求項５に記載のＰｏＣシステムにおけるメディア転送時間情報提供のためのＰｏＣ端末装置。
【請求項７】
前記制御部は、前記メディア転送時間情報を確認した後、前記確認されたメディア転送時間値を初期値として、前記初期値をダウンカウンティングするようにタイマーを駆動させ、前記タイマー駆動中、タイマー値と予め設定された前記メディア転送時間お知らせ値とが同一になると、前記メディア転送可能な残余時間を知らせるためのメディア転送時間お知らせ値を前記表示部を介してディスプレイすることを特徴とする請求項６に記載のＰｏＣシステムにおけるメディア転送時間情報提供のためのＰｏＣ端末装置。
【請求項８】
前記制御部は、前記メディア転送時間情報を確認した後、前記確認されたメディア転送時間値を初期値として、前記初期値をダウンカウンティングするようにタイマーを駆動させ、前記メディア転送可能な残余時間を知らせるために、前記初期値からダウンカウンティングされる前記タイマー値を前記表示部を介してディスプレイすることを特徴とする請求項６に記載のＰｏＣシステムにおけるメディア転送時間情報提供のためのＰｏＣ端末装置。
【請求項９】
ＰｏＣ（Push to talk Over Cellular）システムであって、
メディア転送権要請メッセージが受信されると、メディア転送時間値を含めたメディア転送権付与メッセージをメディア転送権を要請したＰｏＣクライアントに転送し、メディア転送権終了メッセージが受信されると、ＰｏＣセッション（session）に参加した全てのＰｏＣクライアントに以前のＰｏＣクライアントのメディア転送が完了したことを知らせるためのメッセージを転送するＰｏＣサーバと、
メディア転送権要請のための入力があればメディア転送権要請メッセージを前記ＰｏＣサーバに転送し、前記メディア転送権付与メッセージが受信されれば前記メディア転送権付与メッセージに含まれたメディア転送時間値を確認して、確認した転送時間の間メディアを転送し、前記メディア転送時間が満了するとメディア転送権終了メッセージを前記ＰｏＣサーバに転送するＰｏＣクライアントと、
を含むことを特徴とするメディア転送時間情報提供のためのＰｏＣシステム。
【請求項１０】
前記ＰｏＣサーバは、前記メディア転送権付与メッセージを転送した後、前記ＰｏＣクライアントからのメディア転送権終了メッセージの受信を待つことを特徴とする請求項９に記載のメディア転送時間情報提供のためのＰｏＣシステム。
【請求項１１】
前記ＰｏＣクライアントは、前記確認したメディア転送時間情報をユーザに知らせることを特徴とする請求項９に記載のメディア転送時間情報提供のためのＰｏＣシステム。
【請求項１２】
前記ＰｏＣクライアントは、前記メディア転送可能な残余時間をユーザに知らせるためのメディア転送時間お知らせ値を設定することを特徴とする請求項９に記載のメディア転送時間情報提供のためのＰｏＣシステム。
【請求項１３】
前記ＰｏＣクライアントは、前記メディア転送時間情報を確認した後、前記確認されたメディア転送時間値を初期値として、前記初期値をカウンティングするようにタイマーを駆動させ、前記タイマー駆動中、タイマー値と予め設定されたメディア転送時間お知らせ値とが同一になるかを検査した後、前記検査の結果、タイマー値と予め設定された前記メディア転送時間お知らせ値とが同一になると、前記メディア転送可能な残余時間を知らせるためのメディア転送時間お知らせ値を画面にディスプレイすることを特徴とする請求項１２に記載のメディア転送時間情報提供のためのＰｏＣシステム。
【請求項１４】
前記ＰｏＣクライアントは、前記確認されたメディア転送時間値を初期値として、前記初期値をカウンティングするようにタイマーを駆動し、前記メディア転送可能な残余時間を知らせるために前記初期値からカウンティングされる前記タイマー値を画面にディスプレイすることを特徴とする請求項１３に記載のメディア転送時間情報提供のためのＰｏＣシステム。
【発明の詳細な説明】
【技術分野】
【０００１】
本発明は、通話要請に従って通話が開通された時にメディア（Media）転送可能な残余時間情報をＰｏＣユーザに知らせるためのＰｏＣ端末装置及び方法に関するものである。
【背景技術】
【０００２】
移動通信の画期的な発展と通信網の拡大に伴って、携帯電話を用いた、より拡張された、多様なサービスとアプリケーションが提供されている。また、ユーザの要求も多様化され、単純な通話サービスから脱皮し、位置サービス、マルチメディアサービス、ＰＴＴサービスなどに拡大されている。特にＰＴＴサービスは、従来の無電機やＴＲＳ等で可能であったグループ通話と音声通話は勿論、インスタントメッセンジャー、状態表示など多様な付加機能をサポートする。
【０００３】
現在、このようなＰＴＴ（Push To Talk）概念を移動通信網を用いてサービスするＰｏＣサービスに対する標準の制定が活発に論議されている。既存の移動通信サービスと区別されるＰｏＣ（Push-to-talk over cellular；以下、“ＰｏＣ”と称する）サービスの特徴のうち１つは、ユーザが複数のセッションに属していて、必要に応じてセッション間を移動しつつ通話することができるという点である。ユーザが複数のセッションを移動しつつ通話可能であるべきという要求事項は、移動通信サービスを定義している団体であるＯＭＡ（Open Mobile Alliance）の要求事項に明示されている。
【０００４】
以下、一般的なＰｏＣサービスシステムの構造を説明する。
【０００５】
図１は、一般的なＰｏＣ（Push-to-talk over Cellular）の基本構造を示す概念図である。図１を参照すると、ＰｏＣクライアント１０は、移動端末に内蔵されるサービス要請者であり、一般的に、アクセス網２０を介してＳＩＰ（session Initiation Protocol）とＩＰ（Internet Protocol）マルチメディアサポート核心網であるＳＩＰ／ＩＰコア（core）網３０に連結される。
【０００６】
この際、ＰｏＣクライアント１０は、ＰｏＣクライアント端末機に常駐しながらＰｏＣサービスへの接続を可能にする。主な機能は、ＰｏＣクライアント側面からＰｏＣセッションを生成し、既存のセッションに参加し、セッションを終了することである。その他、トークバースト（Talk Burst）を作って伝達する機能、Instant Personal alertをサポートする機能、ＰｏＣサービスに接続した時に、認証する機能などの役目を行う。以下、別の言及がない限り、ＰｏＣクライアント１０という用語はＰｏＣサービス加入者と同じ意味として使われる。
【０００７】
ＳＩＰ／ＩＰコア網３０は、ＰｏＣサービスをサポートするためにＰｏＣサーバ６０とＧＬＭＳ（Group List and Management System）５０、及びプレゼンスサーバ（Presence Server）７０などに連結されてサービスを提供する。
【０００８】
ＧＬＭＳ５０は、ＰｏＣサービス加入者の情報を格納しているサーバであって、ＰｏＣサーバと連動して加入者の情報（加入者のＩＤ、端末番号、グループ情報）を伝達する役目をする。
【０００９】
プレゼンスサーバ７０は、ＰｏＣサービス加入者の位置および状態（オンラインか又はオフラインか）などの状態情報を格納しているサーバであって、オンライン状態のユーザの現在位置を登録／維持して、この情報を希望するユーザに知らせることによって、即刻的な通信サービスを可能にする。
【００１０】
この際、ＰｏＣサーバ６０は、ＰｏＣセッションを維持及び管理する制御ＰｏＣ機能（Controlling PoC Function）を遂行したり、一対一通話や多者間通話のために開設されるＰｏＣセッションに参加するための参加ＰｏＣ機能（Participating PoC Function）等の機能を有する。
【００１１】
上記ＰｏＣサーバは、ＰｏＣセッションを全般的に維持及び管理する制御ＰｏＣ機能 （Controlling PoC Function；以下、“ＣＦ”と称する）と各セッション間の維持管理を担当する参加ＰｏＣ機能（Participating PoC Function；以下、“ＰＦ”と称する）とに区分され、ＣＦとＰＦについては下記の＜表１＞乃至＜表２＞を参照して詳細に説明すると次の通りである。
【００１２】
【表１】
2009523357.tif 000003
【００１３】
上記の＜表１＞に示されたように、ＣＦはＰｏＣサーバの機能のうち、ＰｏＣセッションを総体的に管理する役目をする。特に、ＣＦはＰｏＣクライアントの話す権利（floor）要請（発言権）を受け入れて順序を定めて権限を付与し、任意のクライアントが要請したトークバースト（talk burst）をグループ呼出に参加した全ての他のクライアントに分配し、グループ呼出に参加したクライアントの情報を提供する。
【００１４】
ＰＦは、下記の＜表２＞に示すように、ＰｏＣセッションでＣＦと各クライアントと関連したセッションを管理し、特にクライアントが発言権を要求したり、ＣＦからクライアントに発言権を付与する時、ＰＦが中継する役目をする。また、ＰＦはＣＦとクライアントとの間にメディアを中継する役目、両者が異なるコーデックを使用していれば、トランスコーディングする役目、同時セッションの場合には、１つのセッションで話している時、他のセッションでも話せば、ＰｏＣクライアントの選択に応じて１つをフィルタリングする役目をする。
【００１５】
【表２】
2009523357.tif 000004
【００１６】
上記のように構成されたＰｏＣシステムにおいて、ＰｏＣクライアントが自分の端末機を介してＧＬＭＳ５０にグループ及びグループメンバーに関する情報を入力することができ、または、ＧＬＭＳ５０から転送された個人あるいはグループリストを通じて自分が呼出できるＰｏＣクライアントの情報を知ることができる。ＧＬＭＳ５０にグループ及びグループメンバーの生成、修正、及び管理を実行できる更に他の方法として、インターネットやイントラネットなどＰｏＣサービス提供者が信頼できる通信網を介して入力する方法もある。
【００１７】
一方、ＰｏＣシステムにおいて、ＰｏＣ呼出サービスを利用するために、ＰｏＣクライアントはＳＩＰ／ＩＰコア３０に自分のＰｏＣアドレスを登録する。この際、ＳＩＰ／ＩＰコア３０ではＰｏＣクライアントの要請に基づいて、ＰｏＣクライアントに関する情報を格納する。したがって、他のＰｏＣクライアントがＰｏＣグループ呼出をしようとする時、前述したように、自分の情報をＳＩＰ／ＩＰコア３０にまず登録し、ＧＬＭＳ５０から転送されたグループ識別情報を用いて自分のＳＩＰ／ＩＰコア３０に呼出要請をする。この際、ＳＩＰ／ＩＰコア３０は呼出要請するＰｏＣクライアントに関する情報を用いてアドレス決定とドメイン位置決定過程を実行した後、要請するＰｏＣクライアントが登録されたホームＰｏＣサーバにＰｏＣ通話要請を伝達する。ＰｏＣサーバ６０は、このようなＰｏＣ通話要請に対してＰｏＣセッション開設を準備し、ＧＬＭＳ５０から各々のユーザ情報を獲得した後、該当ＳＩＰ／ＩＰコア３０に通話要請信号を伝達する。この際、イントラ・ドメイン内のユーザに対する通話要請である場合、ＰｏＣサーバ６０はＰＦとＣＦの機能を共に遂行するようになる。通話要請されたＰｏＣクライアントを管理するＰｏＣサーバ６０は自分に伝達されたＰｏＣクライアントの情報を用いてＳＩＰ／ＩＰコア３０の位置決定過程を実行した後、ＰｏＣクライアントに通話要請をするようになる。
【００１８】
上記のように構成される一般的なＰｏＣシステムにおけるＰｏＣ端末装置が発言権を獲得するための過程を図２を参照して説明する。
【００１９】
ＰｏＣクライアントＡとＰｏＣクライアントＢとの間にＰｏＣセッションが連結された状態でＰｏＣクライアントＡがユーザから発言権を要請するための入力があれば、ステップ２００で、メディア転送を要請するためのメディア転送権要請（Media Burst Request）メッセージをＰｏＣサーバＡに送って発言権を要請する。ここで、ＰｏＣサーバＡは参加ＰｏＣ機能（Participating PoC Function；以下、“ＰＦ”と称する）の役目を遂行する。メディア転送権要請メッセージ（Media Burst Request Message）を受信したＰＦ Ａは、ステップ２０２で、ＰｏＣサーバＸに上記の要請メッセージを伝達する。この際、ＰｏＣサーバＸは制御ＰｏＣ機能（Controlling PoC Function；以下、“ＣＦ”と称する）の役目を遂行する。ＰｏＣサーバＸは発言権を要請するメッセージを受信した後、ステップ２０４及びステップ２０６を通じてＰｏＣクライアントＡに発言権を付与するメッセージであるメディア転送権付与（Media Burst granted）メッセージを転送する。また、ＰｏＣサーバＸはＰｏＣクライアントＢにはＰｏＣクライアントＡに発言権を付与したというメッセージであるメディア転送権占有（Media Burst Taken）メッセージを転送する。この際、メディア転送権占有メッセージには話者、即ちＰｏＣクライアントＡのＩＤ（identify）、即ち、上記メッセージを受信したＰｏＣクライアントＢが誰が話者であるかを知ることができる情報を含む。上記のようにＰｏＣ通話において、話者はメディアバーストを転送する権利を受けた場合、サービス提供業者の設定によって定められた時間の間だけメディアを転送することができる。ＯＭＡ（Open Mobile Alliance）で制定された標準案によれば、サービス提供業者がこの時間を決定できるように定義している。このように、クライアントがメディア転送可能な時間を設定して運用するようにした理由は、ＰｏＣサービスが半二重（Half Duplex）方式であるので、いずれか１つのＰｏＣセッション参加者が続けてメディアを転送すると仮定すると、他のＰｏＣセッション参加者はメディアを転送できなくなるので、ＰｏＣシステム上でこれを仲裁するためである。
【００２０】
ここに、図６を参照して一般的なＰｏＣシステムにおけるＰｏＣ端末装置がメディアバースト（Media Burst）を転送する時にＰｏＣクライアントとＰｏＣサーバとの間に送受信される信号の流れについて説明する。図６を参照すると、ＰｏＣクライアントは、ステップ６０１で、図２のステップ２００乃至ステップ２０２のように、メディアを転送するためのメディア転送権要請（Media Burst Request）メッセージをＰｏＣサーバに転送してメディア転送権を要請する。
【００２１】
すると、メディア転送権要請メッセージを受信したＰｏＣサーバは、ステップ６０２で、図２のステップ２０４乃至ステップ２０６のように、メディア転送権を要請したＰｏＣクライアントにメディア転送権付与（Media Burst Granted）メッセージを転送する。以後、ＰｏＣサーバはメディア転送時間に関連したタイマーＴ２を駆動させ、タイマーが満了すると、ＰｏＣサーバはステップ６０３で、ＰｏＣクライアントにメディア転送権取消（Media Burst Revoke）メッセージを転送する。この際、転送されるメディア転送権取消メッセージはメディア転送時間が満了して、これ以上メディアを転送できないことを知らせるメッセージである。このようなメディア転送権取消メッセージを受信したＰｏＣクライアントは、ＰｏＣユーザの音声をエンコーディング（encoding）する動作を中止させ、メディア転送権終了（Media Burst Release）メッセージを生成してＰｏＣサーバへ転送する。
【００２２】
以後ＰｏＣサーバは、ＰｏＣクライアントバッファメッセージに残っているメディアバーストを転送できるようにするための残りの時間を許諾するＴ３タイマー（Stop Talking grace timer）を駆動させた後、Ｔ３タイマーが駆動される間、ＰｏＣクライアントがバッファに格納されたメディアバーストを転送できるようにする。また、ＰｏＣクライアントがステップ６０４でメディア転送権終了（Media Burst Release）メッセージを転送すると、ＰｏＣサーバはステップ６０５で、ＰｏＣセッション（Session）に参加した全てのＰｏＣクライアントにメディア転送権アイドル（Media Burst Idle）、あるいはメディア転送権占有（Media Burst Taken）メッセージを転送して、以前のＰｏＣクライアントがメディア転送を完了したことを知らせる。ここで、メディアバーストはOMA spec PoC v1で音声を含み、OMA spec PoC v2でメディアも含む。以下、メディアバーストは音声を含む。したがって、メディアバーストの種類中の１つがトークバースト（Talk Burst）でありうる。
【００２３】
上記において、ＣＦ ＸがＰｏＣクライアントＡに伝達するメディア転送権付与メッセージ（Media Burst Grant）にはメディア（Media）転送時間値を有するヘッダが含まれ、このヘッダ値を通じてＰｏＣクライアントＡは許容されたメディア転送時間初期値を知らされることになる。しかしながら、ＰｏＣクライアントＡがメディア転送時間初期値を知っているとしても、一定時間、メディアバースト（Media Burst）を転送した時、ＰｏＣクライアント内には転送時間を測定する内部機能がないので、ＰｏＣユーザにメディア転送のためにどのくらいの時間が残されているのかを知らせることができなかった。したがって、メディア転送中に転送時間満了により思いかけずメディア転送が終了される場合が発生した。
【発明の開示】
【発明が解決しようとする課題】
【００２４】
本発明の目的は、ＰｏＣサーバからメディア転送権付与メッセージに含まれたメディア転送時間情報を確認して、これをユーザに知らせるための端末装置及び方法を提供することにある。
【００２５】
また、本発明の他の目的は、ＰｏＣサーバからメディア転送権付与メッセージに含まれたメディア転送時間情報を確認して、予め設定されたメディア転送権終了時間の前にメディア転送権終了時間情報をユーザに知らせるための端末装置及び方法を提供することにある。
【課題を解決するための手段】
【００２６】
本発明に従うＰｏＣ（Push to talk Over Cellular）システムにおけるメディア転送時間情報を提供するための方法は、メディア転送権要請に対するメディア転送権付与メッセージを受信すると、上記受信されたメディア転送権付与メッセージ内にメディア転送時間情報を確認するステップと、上記確認したメディア転送時間情報をユーザに知らせるステップと、を含んでなることを特徴とする。
【００２７】
本発明に従うＰｏＣ（Push to talk Over Cellular）システムにおけるメディア転送時間情報を提供するためのＰｏＣ端末装置は、各キーの入力に従いその固有のキー入力データを出力するキー入力部と、受信されたメディアデータをディスプレイし、上記キー入力部を通じて出力されるデータをディスプレイする表示部と、メディア転送権要請に対するメディア転送権付与メッセージを受信し、上記受信されたメディア転送権付与メッセージ内にメディア転送時間情報を確認した後、上記確認したメディア転送時間情報をユーザに知らせるように制御する制御部と、を含んで構成されることを特徴とする。
【００２８】
本発明に従うＰｏＣ（Push to talk Over Cellular）システムは、メディア転送権要請メッセージが受信されると、メディア転送時間値を含めたメディア転送権付与メッセージをメディア転送権を要請したＰｏＣクライアントに転送し、上記メディア転送権終了メッセージが受信されると、ＰｏＣセッション（session）に参加した全てのＰｏＣクライアントに以前のＰｏＣクライアントのメディア転送が完了したことを知らせるためのメッセージを転送するＰｏＣサーバと、メディア転送権要請のための入力があればメディア転送権要請メッセージを上記ＰｏＣサーバに転送し、上記メディア転送権付与メッセージが受信されれば上記メディア転送権付与メッセージに含まれたメディア転送時間値を確認して、確認した転送時間の間メディアを転送し、上記メディア転送時間が満了するとメディア転送権終了メッセージを上記ＰｏＣサーバに転送するＰｏＣクライアントと、を含むことを特徴とする。
【発明の効果】
【００２９】
前述したように本発明は、ＰｏＣユーザがメディア転送可能な残余時間を認知できるので、自分のメディア転送を調節することができるという利点がある。例えば、話している途中にあと何秒が残っているかをＰｏＣユーザが認知できれば、話しをうまく取りまとめることができる。また、他のメディアに対してもユーザがメディア転送時に、メディア転送可能な残余時間に応じて、計画的に運用できる利点がある。また本発明は、ＰｏＣサーバはメディア転送権を要請したＰｏＣクライアントにメディア転送権付与メッセージにメディア転送時間値を含めて転送し、ＰｏＣクライアントがメディア転送時間値でメディア転送時間タイマーを駆動させてタイマーが満了すると、メディア転送権解止終了メッセージをＰｏＣサーバに転送する。したがって本発明では、ＰｏＣサーバが従来のメディア転送時間をカウントするためのタイマーとＰｏＣクライアント内のバッファに格納されたメディアを転送するための残りの時間を付与するためのタイマーを駆動しなくてもよい。また、ＰｏＣサーバが別にメディア転送時間が満了して、これ以上メディアを転送できないということを知らせるメディア転送権取消メッセージを転送しなくてもよいので、エアーリソース（air resouce）及びネットワークリソース（air resouce）を低減することができる利点がある。また本発明は、ＰｏＣサーバがメディア転送権取消メッセージを転送する代わりに、その時点にＰｏＣクライアントからメディア転送権終了メッセージを受信する。したがって、ＰｏＣサーバがメディア転送を仲裁するに当たって、ＰｏＣクライアントバッファメッセージに残っているメディアバーストを転送できるようにするための残りの時間を許すためのタイマー値だけ時間を減らすことができる利点がある。
【発明を実施するための最良の形態】
【００３０】
以下、本発明の好ましい実施形態を添付する図面を参照しつつ詳細に説明する。下記の説明では、本発明の動作の理解のために必要な部分だけを説明し、その他の部分に対する説明は本発明の要旨を簡単明瞭にするために省略する。
【００３１】
本発明は、ＰｏＣ端末装置の内部にタイマーを備え、ＰｏＣサーバからメディア転送権付与メッセージ受信時、上記メディア転送権付与メッセージに含まれたメディア転送権可能な時間情報をＰｏＣユーザに知らせることにより、残っているメディア転送権可能時間が確認できるようにするための方案を提案する。また本発明では、ＰｏＣ通話サービスにおいて、ＰｏＣ端末装置がメディアを転送しようとする場合に、ＰｏＣユーザにメディア転送可能時間を知らせる方案を提案する。
【００３２】
ここに、図３を参照しつつ本発明に従うＰｏＣ端末装置がＰｏＣユーザにメディア転送可能時間情報を知らせるためのＰｏＣ端末装置の内部構成及び動作について説明する。
【００３３】
ＰｏＣ端末装置３００は、ユーザとのインターフェースのための装置として備えられた各キーの入力に従いその固有のキー入力データを出力するキー入力部３０４を含む。また、ＰｏＣ端末装置３００は、ＰｏＣサーバとのパケットデータ送受信を遂行するデータ転送部３０５を含む。データ転送部３０５を通じて受信されたメディアデータをディスプレイし、上記キー入力部を通じて出力されるデータをディスプレイする表示部３０３を含む。また、ＰｏＣ端末装置３００は、ＰｏＣ端末装置３００のデータ送受信を制御し、ディスプレイを制御する制御部３０１を含む。特に、本発明において、制御部３０１はメディア転送権要請に従いメディア転送権付与メッセージを受信し、上記受信されたメディア転送権付与メッセージ内のメディア転送時間情報を確認した後、上記確認したメディア転送時間情報をユーザに知らせるように制御する。この際、確認したメディア転送時間情報をユーザに知らせるために、本発明では２つの実施形態にて説明する。まず、第１の実施形態を説明すると、制御部３０１はメディア転送時間情報確認の後、上記確認されたメディア転送時間値を初期値として、上記初期値をダウンカウンティングするようにタイマー３０６を駆動させる。例えば、転送時間値を３０秒と仮定すると、ダウンカウンティングしながら“２９秒、２８秒、・・・”のようにダウンカウンティングすることができる。あるいは、初期値をまず“０秒”にセッティングした後、転送時間値だけアップカウンティングすることもできる。そして、残り時間が、予め設定された転送時間お知らせ値となったときに、これをユーザに知らせることもできる。例えば、転送時間お知らせ値が５秒に設定されており、転送時間値が３０秒と確認された場合、タイマー初期値を“０”秒にして、“０秒、１秒、２秒、・・・”とアップカウンティングした後、転送時間お知らせ値である５秒が残っている２５秒にメディア転送可能な残余時間が５秒残っていることをユーザに知らせることができる。また、本発明の他の実施形態によると、“０”秒から転送時間値までのアップカウンティングされる時間値を画面に続けてディスプレイすることもできる。
【００３４】
以後、制御部３０１は、タイマー３０６の駆動中、タイマー値と予め設定されたメディア転送時間お知らせ値とが同一になると、上記メディア転送可能な残余時間を知らせるためのメディア転送時間お知らせ値を画面にディスプレイするように制御する。次に、第２の実施形態について説明すると、制御部３０１はメディア転送時間情報確認の後、上記確認されたメディア転送時間値を初期値として、上記初期値をダウンカウンティングするようにタイマーを駆動させ、上記メディア転送可能な残余時間を知らせるために、上記初期値からダウンカウンティングされる上記タイマー値を画面にディスプレイするように制御する。また、ＰｏＣ端末装置３００は、上記端末の全般的な機能と関連した情報を格納すると共に、ＰｏＣサービス提供と関連したデータ及び端末機の識別のためのユーザアカウントと、ユーザにより設定されたりサーバから提供される情報とを格納し、ユーザによりメディア転送満了時間を知らせるための時間値を格納するメモリ３０７を含む。また、ＰｏＣ端末装置３００は、制御部３０１の制御下に駆動されるタイマー３０６を備えている。タイマー３０６は、制御部３０１の駆動制御信号に従い上記メディア転送可能な残余時間値をカウンティングする。
【００３５】
以下、図３及び図４を参照して、ＰｏＣ端末装置３００において、ＰｏＣサーバから受信されたメディア転送権付与メッセージに含まれたメディア転送時間情報を確認し、予め設定されたメディア転送満了時間の前にメディア転送満了時間情報をユーザに知らせるための過程を説明する。
【００３６】
まず、ＰｏＣユーザはメディア転送満了を知らせるための時間値を予めキー入力部３０４を通じてメモリ３０７に格納する。例えば、ＰｏＣサーバから受信されたメディア転送権付与メッセージに含まれたメディア転送時間値が３０秒であり、上記のように設定されたメディア転送満了を知らせるための時間値が５秒と仮定すると、ＰｏＣ端末装置３００はメディア転送権付与メッセージを受信した時点からタイマー値を３０秒にセッティングした後、ダウンカウンティングで駆動させ、予め設定された時間値である５秒となる時点にユーザにメディア転送権が間もなく満了されることを知らせるようにする。
【００３７】
上記のように、メディア転送満了を知らせるための時間値が設定された後、ステップ４００で、制御部３０１は待機状態を維持し、ステップ４０２で、制御部３０１はキー入力部３０４を通じてメディア転送権要請のための入力があるか否かを検査する。もし、メディア転送権要請のための入力がなければ、制御部３０１はステップ４００に戻って待機状態を維持する。一方、メディア転送権要請のための入力があれば、制御部３０１はステップ４０４でＰＦを通じてＣＦであるＰｏＣサーバにメディア転送権要請メッセージを転送する。以後、ステップ４０６でＰｏＣサーバからメディア転送権付与メッセージが受信されたか否かを検査し、上記メディア転送権付与メッセージが受信されればステップ４０８に進行する。
【００３８】
ステップ４０８で、制御部３０１はメディア転送権付与メッセージ内にメディア転送時間値を確認し、メディア転送時間値を初期値としてタイマー３０６を駆動させる。以後、制御部３０１はステップ４１０で、タイマー３０６の駆動中、タイマー値と予め設定されたメディア転送時間お知らせ値とが同一になるかを検査する。例えば、確認されたメディア転送時間値が３０秒で、転送時間お知らせ値が５秒、即ち、メディア転送時間が終わる５秒前にアラームを受けるように設定した場合、制御部３０１はメディア転送権付与メッセージ受信時点でタイマー初期値を３０秒にしてダウンカウンティングし、タイマー値が５秒になるかを検査する。
【００３９】
もし、ステップ４１０で、制御部３０１がタイマー値と予め設定されたメディア転送時間お知らせ値とが同一になったことを認知すると、ユーザにメディア転送可能な残余時間情報を知らせる。即ち、ＰｏＣユーザにメディア転送時間が設定した時間値だけ残っているというアラームを出力する。この際、ユーザにメディア転送可能な残余時間情報を知らせるための方法は、振動、ライトの点灯（lightening）、画面での残余時間表示など、多様な方法によりなされることができる。また、例えば、図５の（ｂ）のように、メディア転送切れ警告メッセージを画面にディスプレイすることで、ユーザに間もなくメディア転送のために付与された時間が満了されることを知らせることができる。
【００４０】
前述した図３及び図４のように、メディア転送お知らせ時間値を予め設定し、タイマー値をメディア転送時間値を初期値としてタイマー値がメディア転送お知らせ時間値になると、ユーザにメディア転送可能な残余時間を知らせるようにすることができる。
【００４１】
本発明の更に他の実施形態では、制御部３０１はメディア転送権付与メッセージ内にメディア転送時間値を確認し、メディア転送時間値を初期値としてタイマー３０６を駆動させると共に、ダウンカウンティングされるメディア転送時間値を図５の（ａ）のように画面にディスプレイすることもできる。このように、メディア転送時間値がダウンカウンティングしてディスプレイされる画面を通じてＰｏＣユーザは常に自分のメディア転送可能時間が見られるようになる。
【００４２】
以下、上記の図３のように構成されるＰｏＣクライアントがメディアバースト（Media Burst）を転送する時、ＰｏＣクライアントとＰｏＣサーバとの間に送受信される信号の流れを図７を参照して説明する。本発明では、メディアを転送できる権限であるメディア転送権は音声を転送できる権限である発言権（Talk Burst）を含む。
【００４３】
図７を参照すると、ＰｏＣクライアントは、ステップ７００で、メディア転送権を要請するためのメディア転送権要請（Media Burst Request）メッセージをＰｏＣサーバに転送してメディア転送権を要請する。すると、メディア転送権要請メッセージを受信したＰｏＣサーバは、ステップ７０１で、メディア転送権を要請したＰｏＣクライアントにメディア転送時間値を含むメディア転送権付与（Media Burst Granted）メッセージを転送する。
【００４４】
以後、メディア転送権付与メッセージを受信したＰｏＣクライアントは、メディア転送権付与メッセージ内にメディア転送時間値を確認し、メディア転送時間値を初期値としてタイマー３０６を駆動させる。その後、ＰｏＣクライアントはタイマー３０６の駆動中に、タイマー値と予め設定されたメディア転送時間お知らせ値とが同一になったことを認知すると、ユーザにメディア転送可能な残余時間情報を知らせる。また、ＰｏＣクライアントはメディア転送時間タイマーが満了すると、ＰｏＣユーザの音声をエンコーディング（encoding）する動作を中止させ、メディア転送権終了（Media Burst Release）メッセージを生成してＰｏＣサーバに転送する。このようにＰｏＣクライアントがメディア転送権終了メッセージをＰｏＣサーバに転送することによって、メディア転送が完了することを知らせて、これを受信したＰｏＣサーバはメディア転送権アイドル（Media Burst Idle）メッセージ、またはメディア転送権占有（Media Burst Taken）メッセージをＰｏＣセッション（session）に参加した全てのＰｏＣクライアントに転送して、以前のＰｏＣクライアントのメディア転送が完了されることを知らせる。
【００４５】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【００４６】
【図１】一般的なＰｏＣサービスシステムの構造に関する概念図である。
【図２】ＰｏＣシステムにおけるＰｏＣ端末装置がメディア転送権を獲得するための過程を示す信号流れ図である。
【図３】本発明の実施形態に従ってＰｏＣサーバから受信したメディア転送時間情報を提供するＰｏＣ端末装置の内部構成図である。
【図４】本発明の実施形態に従うＰｏＣ端末装置において、ＰｏＣサーバから受信したメディア転送時間情報をユーザに知らせるための過程を示す流れ図である。
【図５】本発明の実施形態に従うＰｏＣ端末装置において、ＰｏＣサーバから受信したメディア転送時間情報をユーザに知らせるための画面を示す例示図である。
【図６】一般的なＰｏＣシステムにおけるＰｏＣ端末装置がメディアバースト（Media Burst）を転送する時にＰｏＣクライアントとＰｏＣサーバとの間に送受信される信号流れ図である。
【図７】本発明の実施形態に従うＰｏＣシステムにおけるＰｏＣ端末装置がメディアバースト（Media Burst）を転送する時にＰｏＣクライアントとＰｏＣサーバとの間に送受信される信号流れ図である。
【図１】
2009523357.tif 000005
【図２】
2009523357.tif 000006
【図３】
2009523357.tif 000007
【図４】
2009523357.tif 000008
【図５】
2009523357.tif 000009
【図６】
2009523357.tif 000010
【図７】
2009523357.tif 000011
【国際調査報告】
2009523357.tif 000012
2009523357.tif 000013